【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
外部の主バッテリ（７）より電源が供給されて動作すると共に、前記主バッテリの予備電源として補助バッテリ（１４）を内蔵する電子機器（１，３１，４１）であって、
前記補助バッテリを加熱するための発熱体（１６）と、
前記主バッテリから前記発熱体に電源を供給する第１電源供給経路を形成するための第１電源供給経路形成手段（１７，３２，３４）と、
前記補助バッテリから前記発熱体に電源を供給する第２電源供給経路を形成するための第２電源供給経路形成手段（１８，３３，３４）と、
前記第１及び第２電源供給経路形成手段を制御して前記第１又は第２電源供給経路を形成し、前記発熱体への通電を行う制御回路（３）と、
前記補助バッテリの温度を検出する温度検出手段（２０）とを備え、
前記制御回路は、前記主バッテリからの電源供給状態をモニタしており、前記補助バッテリの温度が動作可能温度以下に低下した際に、前記主バッテリからの電源供給が可能な状態であれば、前記第１電源供給経路を形成して前記発熱体に通電し、
前記補助バッテリの温度を検出した後、前記第２電源供給経路を形成する前と形成した際に検出される前記補助バッテリの電圧変化量，又は前記第２電源供給経路を形成して前記発熱体に通電する電流量を複数段階に変化させた際に検出される前記補助バッテリの電圧変化量が予め決定した閾値を超えると、前記補助バッテリに異常があるか又は寿命を迎えたと判定し、
前記補助バッテリの温度に対する前記補助バッテリの電圧変化に基づいて、前記動作可能温度を決定することを特徴とする電子機器。
【請求項２】
外部の主バッテリ（７）より電源が供給されて動作すると共に、前記主バッテリの予備電源として補助バッテリ（１４）を内蔵する電子機器（１，３１，４１）であって、
前記補助バッテリを加熱するための発熱体（１６）と、
前記主バッテリから前記発熱体に電源を供給する第１電源供給経路を形成するための第１電源供給経路形成手段（１７，３２，３４）と、
前記補助バッテリから前記発熱体に電源を供給する第２電源供給経路を形成するための第２電源供給経路形成手段（１８，３３，３４）と、
前記第１及び第２電源供給経路形成手段を制御して前記第１又は第２電源供給経路を形成し、前記発熱体への通電を行う制御回路（３）と、
前記補助バッテリの温度を検出する温度検出手段（２０）とを備え、
前記制御回路は、前記補助バッテリの温度が動作可能温度以下に低下した際に、前記第２電源供給経路を形成して前記発熱体に通電し、
前記補助バッテリの温度を検出した後、前記第２電源供給経路を形成する前と形成した際に検出される前記補助バッテリの電圧変化量，又は前記第２電源供給経路を形成して前記発熱体に通電する電流量を複数段階に変化させた際に検出される前記補助バッテリの電圧変化量が予め決定した閾値を超えると、前記補助バッテリに異常があるか又は寿命を迎えたと判定し、
前記補助バッテリの温度に対する前記補助バッテリの電圧変化に基づいて、前記動作可能温度を決定することを特徴とする電子機器。
【請求項３】
外部の主バッテリ（７）より電源が供給されて動作すると共に、前記主バッテリの予備電源として補助バッテリ（１４）を内蔵する電子機器（１，３１，４１）であって、
前記補助バッテリを加熱するための発熱体（１６）と、
前記主バッテリから前記発熱体に電源を供給する第１電源供給経路を形成するための第１電源供給経路形成手段（１７，３２，３４）と、
前記補助バッテリから前記発熱体に電源を供給する第２電源供給経路を形成するための第２電源供給経路形成手段（１８，３３，３４）と、
前記第１及び第２電源供給経路形成手段を制御して前記第１又は第２電源供給経路を形成し、前記発熱体への通電を行う制御回路（３）と、
前記補助バッテリの温度を検出する温度検出手段（２０）とを備え、
前記発熱体（１６Ａ，１６Ｂ）は、消費電力を複数段階に切り替え可能に構成され、
前記制御回路は、前記主バッテリからの電源供給状態をモニタしており、前記補助バッテリの温度が動作可能温度以下に低下した際に、前記主バッテリからの電源供給が可能な状態であれば、前記第１電源供給経路を形成して前記発熱体に通電し、
前記補助バッテリの温度が動作可能温度以下に低下した際に、動作上必要とされる電力を予測し、その予測した電力を下回る範囲となるよう前記発熱体の消費電力を切り替えて通電することを特徴とする電子機器。
【請求項４】
外部の主バッテリ（７）より電源が供給されて動作すると共に、前記主バッテリの予備電源として補助バッテリ（１４）を内蔵する電子機器（１，３１，４１）であって、
前記補助バッテリを加熱するための発熱体（１６）と、
前記主バッテリから前記発熱体に電源を供給する第１電源供給経路を形成するための第１電源供給経路形成手段（１７，３２，３４）と、
前記補助バッテリから前記発熱体に電源を供給する第２電源供給経路を形成するための第２電源供給経路形成手段（１８，３３，３４）と、
前記第１及び第２電源供給経路形成手段を制御して前記第１又は第２電源供給経路を形成し、前記発熱体への通電を行う制御回路（３）と、
前記補助バッテリの温度を検出する温度検出手段（２０）とを備え、
前記発熱体（１６Ａ，１６Ｂ）は、消費電力を複数段階に切り替え可能に構成され、
前記制御回路は、前記補助バッテリの温度が動作可能温度以下に低下した際に、前記第２電源供給経路を形成して前記発熱体に通電し、
前記補助バッテリの温度が動作可能温度以下に低下した際に、動作上必要とされる電力を予測し、その予測した電力を下回る範囲となるよう前記発熱体の消費電力を切り替えて通電することを特徴とする電子機器。
【請求項５】
前記第１電源供給経路形成手段は、前記主バッテリと前記発熱体との間に配置される第１電源スイッチ（１７）で構成され、
前記第２電源供給経路形成手段は、前記補助バッテリと前記発熱体との間に配置される第２電源スイッチ（１８）で構成されることを特徴とする請求項１から４の何れか一項に記載の電子機器。
【請求項６】
前記第１及び第２電源供給経路形成手段は、
前記主バッテリと前記発熱体との間に配置される第１電源スイッチ（３２）と、
前記電源供給経路形成手段は、前記補助バッテリと前記発熱体との間に配置される第２電源スイッチ（３３）と、
前記発熱体とグランドとの間に配置される通電スイッチ（３４）とで構成されることを特徴とする請求項１から４の何れか一項に記載の電子機器。
【請求項７】
前記制御回路は、前記補助バッテリの温度が動作可能温度以下に低下した際に、前記主バッテリからの電源供給が不能な状態であれば、前記第２電源供給経路を形成して前記発熱体に通電することを特徴とする請求項１から６の何れか一項に記載の電子機器。
【請求項８】
前記制御回路は、前記動作可能温度に基づいて、前記補助バッテリの昇温を終止させる温度を決定することを特徴とする請求項１又は２記載の電子機器。
【請求項９】
前記制御回路は、前記補助バッテリの温度が動作可能温度以下に低下した際に、動作上必要とされる電力を予測し、前記発熱体に通電することで前記電力の供給が不能になると判断すると、前記発熱体への通電を中止することを特徴とする請求項１から８の何れか一項に記載の電子機器。
【請求項１０】
前記制御回路は、前記主及び補助バッテリの端子電圧を参照して、前記電力の供給可否を判断することを特徴とする請求項９記載の電子機器。
【請求項１１】
前記制御回路は、前記発熱体に通電した際の通電状態に基づいて、前記補助バッテリの出力能力判定を行うことを特徴とする請求項９又は１０記載の電子機器。
【請求項１２】
前記制御回路は、前記補助バッテリの端子電圧を参照して、前記出力能力判定を行うことを特徴とする請求項１１記載の電子機器。
【請求項１３】
前記発熱体（１６Ａ，１６Ｂ）は、消費電力を複数段階に切り替え可能に構成され、
前記制御回路は、前記発熱体の用途に応じて、前記発熱体の消費電力を切り替えて通電することを特徴とする請求項１から１２の何れか一項に記載の電子機器。
【手続補正２】
【補正対象書類名】明細書
【補正対象項目名】０００９
【補正方法】変更
【補正の内容】
【０００９】
請求項１から４記載の電子機器によれば、主バッテリの予備電源として内蔵されている補助バッテリを加熱するための発熱体を備えると共に、主バッテリ，補助バッテリから発熱体にそれぞれ電源を供給する第１，第２電源供給経路を形成するための第１，第２電源供給経路形成手段を備え、制御回路は、第１及び第２電源供給経路形成手段を制御して第１又は第２電源供給経路を形成し、発熱体への通電を行う。
【手続補正３】
【補正対象書類名】明細書
【補正対象項目名】００１０
【補正方法】変更
【補正の内容】
【００１０】
すなわち、第１電源供給経路を形成して主バッテリから発熱体に電源を供給することで、発熱体により補助バッテリを消耗させること無く加熱できると共に、第２電源供給経路を形成して補助バッテリから発熱体に電源を供給すれば、補助バッテリの機能確認も併せて行うことができる。したがって、極めて簡単な構成により、補助バッテリの加熱と機能確認とを行うことが可能になる。
また、請求項１及び３記載の電子機器によれば、補助バッテリの温度を検出する温度検出手段を備え、制御回路は、主バッテリからの電源供給状態をモニタしており、補助バッテリの温度が動作可能温度以下に低下した際に、主バッテリからの電源供給が可能な状態であれば、第１電源供給経路を形成して発熱体に通電する。
また、請求項２又は４記載の電子機器によれば、補助バッテリの温度を検出する温度検出手段を備え、制御回路は、補助バッテリの温度が動作可能温度以下に低下した際に、第２電源供給経路を形成して発熱体に通電する。
そして、請求項１及び２記載の電子機器によれば、更に制御回路は、補助バッテリの温度を検出した後、第２電源供給経路を形成する前と形成した際に検出される補助バッテリの電圧変化量，又は前記第２電源供給経路を形成して発熱体に通電する電流量を複数段階に変化させた際に検出される補助バッテリの電圧変化量が予め決定した閾値を超えると、補助バッテリに異常があるか又は寿命を迎えたと判定し、補助バッテリの温度に対する補助バッテリの電圧変化に基づいて動作可能温度を決定する。
また、請求項３及び４記載の電子機器によれば、発熱体は、消費電力を複数段階に切り替え可能に構成され、更に制御回路は、補助バッテリの温度が動作可能温度以下に低下した際に、動作上必要とされる電力を予測し、その予測した電力を下回る範囲となるよう前記発熱体の消費電力を切り替えて通電する。